(57)【要約】【課題】通話及び制御チャンネルを使用した簡素な子機使用中表示が可能なコードレス電話装置を提供する。【解決手段】外線着信時、親機と子機Ａ，Ｂ，Ｃとの間で制御チャンネルにて発呼ＩＤ信号３１，応答ＩＤ信号３２の送受を行う。その後親機はチャンネル切替信号３３を子機Ａ，Ｂ，Ｃへ送信し、チャンネル切替信号３３により子機Ａ，Ｂ，Ｃと親機が通話チャンネルに移行する。着信動作の後、親機１は子機Ａ，Ｂ，Ｃへ「外線通話＋ＡＣＫを送信した以外の子機は［使用中表示＋無線断］」の信号３６を送信する。子機Ａは通話中で、子機Ｂ，Ｃには外線使用中の表示がされる。子機Ｂ，Ｃは信号３６を受信後、制御チャンネルに移行する。そして通話切断動作にて親機は子機Ａへ無線断信号３９が送信し、子機Ａは制御チャンネルになる。親機は制御チャンネルを通して子機Ａ，Ｂ，Ｃへ使用中表示解除信号４０を送信し、子機Ｂ，Ｃから使用中表示を消す。【選択図】        図２
2004228875.tif 000002
【特許請求の範囲】
【請求項１】
電話回線で接続される親機と、制御チャンネルと通話チャンネルとを用いて該親機と無線接続する複数のコードレス電話子機とを有するコードレス電話装置において、コードレス電話子機通話時に使用中以外のコードレス電話子機に対し、使用中表示させ、制御チャンネル受信状態に移行させることを特徴とするコードレス電話装置。
【請求項２】
電話回線で接続される親機と、制御チャンネルと通話チャンネルとを用いて該親機と無線接続する複数のコードレス電話子機とを有するコードレス電話装置において、コードレス電話子機通話時に使用中以外のコードレス電話子機に対し通話チャンネルのみを用いて使用中表示を行わせる使用中表示手段と、制御チャンネルのみを用い使用中表示を解除させる使用中表示解除手段とを有することを特徴とするコードレス電話装置。
【請求項３】
電話回線で接続される親機と、制御チャンネルと通話チャンネルとを用いて該親機と無線接続する複数のコードレス電話子機とを有するコードレス電話装置において、コードレス電話子機の外線通話時に使用中以外のコードレス電話子機に対し通話チャンネルのみを用いて使用中表示を行わせる使用中表示手段と、外線通話終了後に制御チャンネルを用いて通話チャンネルを確立し、該通話チャンネルを用い使用中表示を解除させる使用中表示解除手段とを有することを特徴とするコードレス電話装置。
【請求項４】
電話回線で接続される親機と、制御チャンネルと通話チャンネルとを用いて該親機と無線接続する複数のコードレス電話子機とを有するコードレス電話装置において、コードレス電話子機より外線通話を開始するとき、使用中以外のコードレス電話子機に対し制御チャンネル若しくは通話チャンネルを用いて使用中表示を行わせる使用中表示手段と、制御チャンネルのみを用い使用中表示を解除させる使用中表示解除手段とを有することを特徴とするコードレス電話装置。
【請求項５】
電話回線で接続される親機と、制御チャンネルと通話チャンネルとを用いて該親機と無線接続する複数のコードレス電話子機とを有するコードレス電話装置において、コードレス電話子機間通話時に使用中以外のコードレス電話子機に対し制御チャンネルのみを用いて使用中表示を行わせる使用中表示手段と、制御チャンネルのみを用い使用中表示を解除させる使用中表示解除手段を有することを特徴とするコードレス電話装置。
【請求項６】
電話回線で接続される親機と、制御チャンネルと通話チャンネルとを用いて該親機と無線接続する複数のコードレス電話子機とを有するコードレス電話装置において、コードレス電話子機間通話時に使用中以外のコードレス電話子機に対し制御チャンネルのみを用い使用中表示を行わせる使用中表示手段と、コードレス電話子機間通話終了後に通話チャンネルを確立し、該通話チャンネルを用い使用中表示を解除させる使用中表示解除手段とを有することを特徴とするコードレス電話装置。
【発明の詳細な説明】
【０００１】
【発明の属する技術分野】
本発明は、コードレス電話装置に関し、より詳細には、制御チャンネルと通話チャンネルを用い複数のコードレス電話子機と無線接続するコードレス電話装置に関する。
【０００２】
【従来の技術】
従来から、電話回線で接続されるコードレス電話親機（以下、親機と略す）とその親機と無線接続する複数のコードレス電話子機（以下、子機と略す）とからなるコードレス電話装置が様々な形態で提案されている。いずれのコードレス電話装置においても、子機を使用する際に、他の子機が使用されているか否かを確認できるようにしておくことが好ましく、そのため、多くのコードレス電話装置は、親機が子機に回線使用状況を送信し、子機で回線使用状況を表示させるようにしてある。回線使用状況が子機側で確認できないコードレス電話装置では、使用者が機器故障と勘違いしてしまう、或いは確認のため一度子機を操作する必要がある、などの問題がある。
【０００３】
従来技術による、回線使用状況の子機側への通知が可能なコードレス電話装置においては、子機に対しその表示器などに使用中表示をさせるために、制御チャンネルと通話チャンネルとを同時に用いて各種信号を親機から子機へ送信している（例えば、特許文献１参照）。このコードレス電話装置においては、子機での使用中表示を行う際に、使用中表示をする子機は、制御チャンネルにより親子間で設定された通話チャンネルを常に使用している。このため、使用中以外の子機のミュート制御を行うこと、また親機が制御チャンネルと通話チャンネルとを同時に用いて子機へ信号を送信することを必要とするため、少なくとも２つの無線送信回路を有さなければならない。また、子機の無線回路を間欠的に立ち上げておく必要があり、子機の電池の消耗が激しくなる。
【０００４】
また、子機に同様の使用中表示をさせるために、通話チャンネルのみを使用するコードレス電話装置も提案されている（例えば、特許文献２参照）。このコードレス電話装置においては、子機への使用中表示を行う際に、子機から親機への制御チャンネルを使用した間欠受信を行う必要があるため、子機の無線回路を間欠に立ち上げておく必要があり電池の消費が激しくなる。また、無線送信回路が１つしか無いときには、外線通話や内線通話を他の子機に移行することが容易にはできない構成となっている。
【０００５】
【特許文献１】
特開平４−７００２２号公報
【特許文献２】
特開平４−１５０４４３号公報
【０００６】
【発明が解決しようとする課題】
上述のごとき、制御チャンネル及び通話チャンネルを用い、或いは通話チャンネルのみを用い、親機から使用中以外の子機へ回線状況を送信する構成では、使用中の子機以外の子機も通話中には通話チャンネルを使用することなる。そのため、親機から他の子機へのミュートの制御や、制御チャンネルを使用した間欠受信等の子機での制御が必要となる。このように、使用中表示をするために複雑な手順を必要とする。
【０００７】
また、使用中の子機以外の子機も通話チャンネルを使用していることから子機の電池消耗の増加が懸念される。さらに、無線送信回路が１つしかない構成のコードレス電話装置では、使用表示中の子機は通話チャンネルを使用しているので他の子機へ外線通話を他の子機へ移行することができないといった問題もある。
【０００８】
本発明は、上述のごとき実情を鑑みてなされたものであり、通話チャンネルと制御チャンネルを使用したコードレス電話子機の使用中表示を、コードレス電話子機の電池の消耗を多くすることなく且つ簡素に行うことが可能な、コードレス電話装置を提供することをその目的とする。
【０００９】
【課題を解決するための手段】
本発明は、上述のごとき課題を解決するために、子機を使用した外線・内線通話中に使用中の子機以外の子機を通話チャンネルではなく制御チャンネルにすることと、及び使用終了後に制御チャンネルにおいて使用中表示解除信号を子機に送信することで、親機と子機の相互制御の時間短縮や無線送受信回路を間欠的若しくは常時立ち上げた状態にする必要がなくなり、電池の消耗を抑えることができる。また、制御チャンネルを使用することで１つの無線送信回路しか持たない構成においても、外線電話を他の子機へ移行することが容易にでき、使用中以外の子機へ回線使用状態を表示できるものである。
なお、使用中解除信号は、外線通話終了後に通話チャンネルを確立し通話チャンネルを通じて子機へ送信することも考えられる。
【００１０】
本発明に係るコードレス電話装置は、以下の各技術手段により構成される。
第１の技術手段は、電話回線で接続される親機と、制御チャンネルと通話チャンネルとを用いて該親機と無線接続する複数のコードレス電話子機とを有するコードレス電話装置において、コードレス電話子機通話時に使用中以外のコードレス電話子機に対し、使用中表示させ、制御チャンネル受信状態に移行させることを特徴としたものである。
【００１１】
第２の技術手段は、電話回線で接続される親機と、制御チャンネルと通話チャンネルとを用いて該親機と無線接続する複数のコードレス電話子機とを有するコードレス電話装置において、コードレス電話子機通話時に使用中以外のコードレス電話子機に対し通話チャンネルのみを用いて使用中表示を行わせる使用中表示手段と、制御チャンネルのみを用い使用中表示を解除させる使用中表示解除手段とを有することを特徴としたものである。
【００１２】
第３の技術手段は、電話回線で接続される親機と、制御チャンネルと通話チャンネルとを用いて該親機と無線接続する複数のコードレス電話子機とを有するコードレス電話装置において、コードレス電話子機の外線通話時に使用中以外のコードレス電話子機に対し通話チャンネルのみを用いて使用中表示を行わせる使用中表示手段と、外線通話終了後に制御チャンネルを用いて通話チャンネルを確立し、該通話チャンネルを用い使用中表示を解除させる使用中表示解除手段とを有することを特徴としたものである。
【００１３】
第４の技術手段は、電話回線で接続される親機と、制御チャンネルと通話チャンネルとを用いて該親機と無線接続する複数のコードレス電話子機とを有するコードレス電話装置において、コードレス電話子機より外線通話を開始するとき、使用中以外のコードレス電話子機に対し制御チャンネル若しくは通話チャンネルを用いて使用中表示を行わせる使用中表示手段と、制御チャンネルのみを用い使用中表示を解除させる使用中表示解除手段とを有することを特徴としたものである。
【００１４】
第５の技術手段は、電話回線で接続される親機と、制御チャンネルと通話チャンネルとを用いて該親機と無線接続する複数のコードレス電話子機とを有するコードレス電話装置において、コードレス電話子機間通話時に使用中以外のコードレス電話子機に対し制御チャンネルのみを用いて使用中表示を行わせる使用中表示手段と、制御チャンネルのみを用い使用中表示を解除させる使用中表示解除手段を有することを特徴としたものである。
【００１５】
第６の技術手段は、電話回線で接続される親機と、制御チャンネルと通話チャンネルとを用いて該親機と無線接続する複数のコードレス電話子機とを有するコードレス電話装置において、コードレス電話子機間通話時に使用中以外のコードレス電話子機に対し制御チャンネルのみを用い使用中表示を行わせる使用中表示手段と、コードレス電話子機間通話終了後に通話チャンネルを確立し、該通話チャンネルを用い使用中表示を解除させる使用中表示解除手段とを有することを特徴としたものである。
【００１６】
【発明の実施の形態】
図１は、本発明の一実施形態に係るコードレス電話装置の一構成例を示すブロック図である。
本発明に係るコードレス電話装置は、子機を使用した外線・内線通話中に使用中以外の子機に対し、使用中表示させ、制御チャンネル受信状態に移行させることを特徴とする。親機１は電話回線１０に接続され、複数の子機（ここでは子機Ａ，Ｂ，Ｃの３台の場合を例示する）と、アンテナ１４を介した無線通信を行う。
【００１７】
子機Ａ（２０ａ）との無線接続を例に挙げて説明すると、親機１は、その制御回路１１及び子機Ａ（２０ａ）側の制御回路２４ａからの制御チャンネルと通話チャンネルとを用いて、アンテナ１４と子機Ａ（２０ａ）側のアンテナ２１ａとを無線接続する。親機１の制御回路１１により制御チャンネルと通話チャンネルの制御が行われ、無線送信回路１２，無線受信回路１３により制御回路１１とアンテナ１４間のチャンネル信号の受け渡しをする。また、無線受信回路１３は、アンテナ１４からのチャンネル信号の受け取りも兼ねる。無線送信回路１２は、制御回路１１からのチャンネル信号をアンテナ１４を介し、子機Ａ（２０ａ）のアンテナ２１ａへチャンネル信号を送信する。子機Ａ（２０ａ）の無線送信回路２２ａと無線受信回路２３ａは、親機１の無線送信回路１２と無線受信回路１３と同様の動作を行う。子機Ａ（２０ａ）の制御回路２４ａは、制御チャンネルと通話チャンネルのチャンネル信号を制御し、表示器２５ａに使用中表示の表示を行ったり、スピーカ２６ａを鳴動させたりする。なお、親機においてスピーカ及びマイク（通話用）を、子機においてマイクを、それぞれ図示していないが備えても良いことは言及するまでもない。
【００１８】
また、ここで例示するコードレス電話装置においては、子機Ａ（２０ａ）だけでなく、子機Ｂ（２０ｂ），子機Ｃ（２０ｃ）に対しても同様の無線接続がなされる。そのため、子機Ｂ（２０ｂ），子機Ｃ（２０ｃ）も子機Ａ（２０ａ）と同じ構成をもつものとするが、紙面の都合上、その構成要素を省略して図示している。ただし、子機Ｂ（子機Ｃ）に対しても、子機Ａ（２０ａ）の構成要素であるアンテナ２１ａ，無線送信回路２２ａ，無線受信回路２３ａ，制御回路２４ａ，表示器２５ａ，スピーカ２６ａの符号において、枝番を換えた符号である、それぞれ２１ｂ，２２ｂ，２３ｂ，２４ｂ，２５ｂ，２６ｂ（２１ｃ，２２ｃ，２３ｃ，２４ｃ，２５ｃ，２６ｃ）を用いて適宜説明を行う。なお、ここで例示する動作は、子機を３機としているが子機は２機以上であれば同様の動作となる。
【００１９】
図２は、図１のコードレス電話装置における外線着信時の制御シーケンスの一例を示す図である。
図２を参照して、図１のごとき構成をもつコードレス電話装置における、制御チャンネルと通話チャンネルを使用した詳細な動作を説明する。図２では、図１におけるコードレス電話装置において、次の使用中表示手段及び使用中表示解除手段を親機１や子機Ａ，Ｂ，Ｃの中の制御回路（或いは制御回路，無線送信回路，無線受信回路）などに備えた形態を説明する。使用中表示手段では、子機通話時に使用中以外の子機に対し通話チャンネルのみを用いて使用中表示を行わせ、使用中表示解除手段では、制御チャンネルのみを用い使用中表示を解除させる。
【００２０】
図１のコードレス電話装置において、電話回線１０から外線着信した際に、親機１から子機Ａ（２０ａ），子機Ｂ（２０ｂ），子機Ｃ（２０ｃ）へ発呼し、外線通話を行ったときの制御チャンネル及び通話チャンネルで遣り取りされる信号を説明する。
【００２１】
電話回線１０から外線着信した際、まず、親機１の無線送信回路１２から子機Ａ（２０ａ），Ｂ（２０ｂ），Ｃ（２０ｃ）へ制御チャンネルで発呼ＩＤ信号３１を送信し、発呼ＩＤ信号３１を検出した子機Ａ（２０ａ），Ｂ（２０ｂ），Ｃ（２０ｃ）は応答ＩＤ信号３２を親機１へ送信する。この応答ＩＤ信号３２を検出した親機１はチャンネル切替信号３３を子機Ａ（２０ａ），Ｂ（２０ｂ），Ｃ（２０ｃ）へ送信する。このチャンネル切替信号３３により、子機Ａ（２０ａ），Ｂ（２０ｂ），Ｃ（２０ｃ）と親機１は制御チャンネルから通話チャンネルに移行する。
【００２２】
この後、親機１から着信信号３４が子機Ａ（２０ａ），Ｂ（２０ｂ），Ｃ（２０ｃ）へ送信され、子機Ａ（２０ａ），Ｂ（２０ｂ），Ｃ（２０ｃ）のそれぞれのスピーカ２６ａ，２６ｂ，２６ｃから着信音が鳴動する。ここでユーザが子機Ａ（２０ａ）でこの着信を受けるものとして説明する。子機Ａ（２０ａ）が親機１からの着信信号３４を受け、ＡＣＫ（確認）信号３５を親機１に送信する。子機Ａ（２０ａ）からのＡＣＫ信号３５を受け親機１は、子機Ａ（２０ａ），Ｂ（２０ｂ），Ｃ（２０ｃ）へ「外線通話＋ＡＣＫを送信した以外の子機は［使用中表示＋無線断］」の信号３６を送信する。子機Ｂ（２０ｂ），Ｃ（２０ｃ）へは「使用中表示＋無線断」の信号が送信されることとなる。この時、親機１，子機Ａ（２０ａ）は通話チャンネルにて外線通話中である。子機Ｂ（２０ｂ），子機Ｃ（２０ｃ）の表示器２５ｂ，２５ｃには外線使用中の表示がされる。子機Ａ（２０ａ）の表示器２５ａにも外線使用中を表示してもよい。
【００２３】
なお、通話チャンネルであれば、どの信号を用いても使用中表示とさせることは可能である。表示器における表示の方法としては、ＬＥＤの点滅や点灯、液晶画面などに表示するなど様々な方法が考えられる。
【００２４】
また、子機Ｂ（２０ｂ），子機Ｃ（２０ｃ）は、信号３６を受信後、通話チャンネルから開放され制御チャンネルに移行される。そのため、子機Ｂ（２０ｂ），子機Ｃ（２０ｃ）は待機状態と変わらず、子機Ｂ（２０ｂ），子機Ｃ（２０ｃ）の電池の消費は、従来技術のごとき通話チャンネルを使用する構成に対し抑えることができる。また、外線通話を子機Ａ（２０ａ）から子機Ｂ（２０ｂ），子機Ｃ（２０ｃ）へ移行するときには、通話チャンネルを使用していないので容易に行うことができる。
【００２５】
次に、外線通話中にユーザが通話を切るボタン（ここでは切ｋｅｙと呼ぶ）を押すことにより、切ｋｅｙ信号３７が親機１へ送信され、親機１からそのＡＣＫ信号３８が子機Ａ（２０ａ）へ返信されてくる。その後、親機１より子機Ａ（２０ａ）へ無線断信号３９が送信され、子機Ａ（２０ａ）の外線通話は解除され、子機Ａ（２０ａ）は通話チャンネルから制御チャンネルとなり子機Ｂ（２０ｂ），子機Ｃ（２０ｃ）と同様に待機状態になる。
【００２６】
次に、親機１より制御チャンネルを通して、子機Ａ（２０ａ），子機Ｂ（２０ｂ），子機Ｃ（２０ｃ）へ使用中表示解除信号４０が送信され、子機Ｂ（２０ｂ），子機Ｃ（２０ｃ）の表示器２５ｂ，２５ｃから使用中の表示が解除される。このため、従来技術のごとき、外線通話終了の信号を子機Ｂ（２０ｂ），子機Ｃ（２０ｃ）が制御チャンネルで間欠受信することや、子機Ｂ（２０ｂ），子機Ｃ（２０ｃ）をミュート等の制御をする必要がなくなる。
【００２７】
図３は、図１のコードレス電話装置における外線着信時或いは内線使用時の使用中表示解除シーケンスの他の例を示す図である。
図３を参照して、図１のごとき構成をもつコードレス電話装置における、制御チャンネルと通話チャンネルを使用した動作を、通話チャンネルを確立し、使用表示を解除するときの動作を中心に説明する。図３では、図１におけるコードレス電話装置において、次の使用中表示手段及び使用中表示解除手段を親機１や子機Ａ，Ｂ，Ｃの中の制御回路（或いは制御回路，無線送信回路，無線受信回路）などに備えた形態を説明する。使用中表示手段では、子機通話（外線通話）時に使用中以外の子機に対し通話チャンネルのみを用いて使用中表示を行わせ、使用中表示解除手段では、外線通話終了後に制御チャンネルを用いて通話チャンネルを確立し、その通話チャンネルを用い使用中表示を解除させる。なお、図３では内線を使用した通話が終了した場合も説明できるが内線に関しては後述する。
【００２８】
外線を使用した通話が終了した後、まず、親機１の無線送信回路１２から子機Ａ（２０ａ），Ｂ（２０ｂ），Ｃ（２０ｃ）へ制御チャンネルで発呼ＩＤ信号４１を送信し、発呼ＩＤ信号４１を検出した子機Ａ（２０ａ），Ｂ（２０ｂ），Ｃ（２０ｃ）は応答ＩＤ信号４２を親機１へ送信する。この応答ＩＤ信号４２を検出した親機１はチャンネル切替信号４３を子機Ａ（２０ａ），Ｂ（２０ｂ），Ｃ（２０ｃ）へ送信する。このチャンネル切替信号４３により、子機Ａ（２０ａ），Ｂ（２０ｂ），Ｃ（２０ｃ）と親機１は制御チャンネルから通話チャンネルに移行する。
【００２９】
その後、親機１より通話チャンネルを通して、子機Ａ（２０ａ），子機Ｂ（２０ｂ），子機Ｃ（２０ｃ）へ使用中表示解除信号４４が送信され、子機Ｂ（２０ｂ），子機Ｃ（２０ｃ）の表示器２５ｂ，２５ｃより使用中の表示が解除される。そして、親機１より子機Ａ（２０ａ），子機Ｂ（２０ｂ），子機Ｃ（２０ｃ）へ無線断信号４５が送信され、子機Ａ（２０ａ），子機Ｂ（２０ｂ），子機Ｃ（２０ｃ）は通話チャンネルから制御チャンネルとなり、待機状態になる。
【００３０】
なお、図３で示す例は、図２における無線断信号３９の送信の後にも適用可能である。図２で示す例では使用中表示を解除する信号を制御チャンネルを使用して行ったが、無線断信号３９送信後、図３のように、親機１から発呼ＩＤ信号４１を送信し無線断信号４５の送信までの制御を行い、使用中表示を解除すればよい。
【００３１】
図４は、図１のコードレス電話装置における外線発信時の制御シーケンスの一例を示す図で、図５は、図１のコードレス電話装置における外線発信時の制御シーケンスの他の例を示す図である。
図４及び図５を参照して、図１のごとき構成をもつコードレス電話装置における、制御チャンネルと通話チャンネルを使用した、外線発信時から使用表示を解除するまでの動作を説明する。図４及び図５では、図１におけるコードレス電話装置において、次の使用中表示手段及び使用中表示解除手段を親機１や子機Ａ，Ｂ，Ｃの中の制御回路（或いは制御回路，無線送信回路，無線受信回路）などに備えた形態を説明する。使用中表示手段では、子機より外線通話を開始するとき、使用中以外の子機に対し通話チャンネル（図４）若しくは制御チャンネル（図５）を用いて使用中表示を行わせ、使用中表示解除手段では、制御チャンネルのみを用い使用中表示を解除させる。図４の場合、使用中表示解除手段は、制御チャンネル受信状態に移行させた後に制御チャンネルのみを用い使用中表示を解除させることとなる。
【００３２】
すなわち、子機から外線通話を開始するときには、図４のように通話チャンネルを使用して使用中表示をさせる構成と、図５のように制御チャンネルを使用して使用中表示をさせる構成の二つが考えられる。
【００３３】
図４で示す例では、通話チャンネルを用い「外線通話＋ＡＣＫを送信した子機以外は［使用中表示＋無線断］」の信号５６にて、使用中以外の子機Ｂ（２０ｂ）と子機Ｃ（２０ｃ）に使用中表示をさせる。
【００３４】
例えば、ここでユーザが子機Ａ（２０ａ）でこの発信を行うものとして説明する。子機Ａ（２０ａ）から外線通話を開始するとき、まず、子機Ａ（２０ａ）の無線送信回路２２ａから親機１へ制御チャンネルで発呼ＩＤ信号５１を送信し、発呼ＩＤ信号５１を検出した親機１はチャンネル切替信号５２を子機Ａ（２０ａ），Ｂ（２０ｂ），Ｃ（２０ｃ）へ送信する。このチャンネル切替信号５２により、子機Ａ（２０ａ），Ｂ（２０ｂ），Ｃ（２０ｃ）と親機１は制御チャンネルから通話チャンネルに移行する。また、親機１は、子機Ａ（２０ａ）に対しＮＯＰ（Ｎｏ  Ｏｐｅｒａｔｉｏｎ）信号５３を送信する。ＮＯＰ信号５３を受信した子機Ａ（２０ａ）は、外線通話中（オンフック中）にユーザにより通話を開始するボタン（例えば電話番号の入力など；ここでは通話ｋｅｙと呼ぶ）を押されることで、通話ｋｅｙ信号５４を親機１に送信し、親機１はそのＡＣＫ信号５５を子機Ａ（２０ａ）へ返信する。
【００３５】
次に、親機１は、子機Ａ（２０ａ），Ｂ（２０ｂ），Ｃ（２０ｃ）へ「外線通話＋ＡＣＫを送信した以外の子機は［使用中表示＋無線断］」の信号５６を送信する。子機Ｂ（２０ｂ），Ｃ（２０ｃ）へは「使用中表示＋無線断」の信号が送信されることとなる。この時、親機１，子機Ａ（２０ａ）は通話チャンネルにて外線通話中である。子機Ｂ（２０ｂ），子機Ｃ（２０ｃ）の表示器２５ｂ，２５ｃには外線使用中の表示がされる。子機Ａ（２０ａ）の表示器２５ａにも外線使用中を表示してもよい。
【００３６】
次に、外線通話中にユーザが切ｋｅｙを押すことにより、切ｋｅｙ信号５７が親機１へ送信され、親機１からそのＡＣＫ信号５８が子機Ａ（２０ａ）へ返信されてくる。その後、親機１より子機Ａ（２０ａ）へ無線断信号５９が送信され、子機Ａ（２０ａ）の外線通話は解除され、子機Ａ（２０ａ）は通話チャンネルから制御チャンネルとなり子機Ｂ（２０ｂ），子機Ｃ（２０ｃ）と同様に待機状態になる。
【００３７】
次に、親機１より制御チャンネルを通して、子機Ａ（２０ａ），子機Ｂ（２０ｂ），子機Ｃ（２０ｃ）へ使用中表示解除信号６０が送信され、子機Ｂ（２０ｂ），子機Ｃ（２０ｃ）の表示器２５ｂ，２５ｃより使用中の表示が解除される。
【００３８】
一方、図５で示す例では、制御チャンネルの「発呼ＩＤがない子機は使用中表示」の信号６２にて、使用中以外の子機Ｂ（２０ｂ）と子機Ｃ（２０ｃ）に使用中表示をさせる。
【００３９】
例えば、ここでユーザが子機Ａ（２０ａ）でこの発信を行うものとして説明する。子機Ａ（２０ａ）から外線通話を開始するとき、まず、子機Ａ（２０ａ）の無線送信回路２２ａから親機１へ制御チャンネルで発呼ＩＤ信号６１を送信する。発呼ＩＤ信号６１を検出した親機１は、子機Ａ（２０ａ），Ｂ（２０ｂ），Ｃ（２０ｃ）へ「発呼ＩＤがない子機は使用中表示」の信号６２を送信する。子機Ｂ（２０ｂ），Ｃ（２０ｃ）がその条件に該当し、子機Ｂ（２０ｂ），子機Ｃ（２０ｃ）の表示器２５ｂ，２５ｃには外線使用中の表示がされる。
【００４０】
次に親機１は、制御チャンネルにてチャンネル切替信号６３を子機Ａ（２０ａ）へ送信する。このチャンネル切替信号６３により、子機Ａ（２０ａ）と親機１は制御チャンネルから通話チャンネルに移行する。また、親機１は、子機Ａ（２０ａ）に対しＮＯＰ信号６４を送信する。ＮＯＰ信号６４を受信した子機Ａ（２０ａ）は、ユーザにより通話ｋｅｙが押されることで通話ｋｅｙ信号６５を親機１へ送信し、親機１はそのＡＣＫ信号６６を子機Ａ（２０ａ）へ返信する。次に、外線通話信号６７が親機１から子機Ａ（２０ａ）へ送信され、外線通話中の状態となる。
【００４１】
次に、外線通話中にユーザが切ｋｅｙを押すことにより、切ｋｅｙ信号６８が親機１へ送信され、親機１からそのＡＣＫ信号６９が子機Ａ（２０ａ）へ返信されてくる。その後、親機１より子機Ａ（２０ａ）へ無線断信号７０が送信され、子機Ａ（２０ａ）の外線通話は解除され、子機Ａ（２０ａ）は通話チャンネルから制御チャンネルとなり子機Ｂ（２０ｂ），子機Ｃ（２０ｃ）と同様に、待機状態になる。
【００４２】
次に、親機１より制御チャンネルを通して、子機Ａ（２０ａ），子機Ｂ（２０ｂ），子機Ｃ（２０ｃ）へ使用中表示解除信号７１が送信され（子機Ｂ，Ｃに対してのみでもよい）、子機Ｂ（２０ｂ），子機Ｃ（２０ｃ）の表示器２５ｂ，２５ｃより使用中の表示が解除される。
【００４３】
上述のごとく、図４及び図５で示す例においてはどちらの構成においても、制御チャンネルを使用した使用中表示解除信号６０，７１を用いて、使用中表示を解除している。
【００４４】
また、図４及び図５で例示した２つの構成のいずれを用いても、子機外線通話時には、使用されていない子機は制御チャンネルとなるので、図２で例示した外線着信時と同様の効果が得られる。なお、使用中表示解除手段としては、図３で例示したものを適用して使用中表示を解除することも可能である。
【００４５】
図６は、図１のコードレス電話装置における子機間通話時の制御シーケンスの一例を示す図である。
図６を参照して、図１のごとき構成をもつコードレス電話装置における、制御チャンネルと通話チャンネルを使用した動作を、内線発信時から使用表示を解除するまでの動作を説明する。ただし、図６は、親機１に無線送信回路が２つ以上有る場合の子機間通話の例を示したものである。図６では、図１におけるコードレス電話装置において、次の使用中表示手段及び使用中表示解除手段を親機１や子機Ａ，Ｂ，Ｃの中の制御回路（或いは制御回路，無線送信回路，無線受信回路）などに備えた形態を説明する。使用中表示手段では、子機間通話時に使用中以外の子機に対し制御チャンネルのみを用いて使用中表示を行わせ、使用中表示解除手段では、制御チャンネルのみを用い使用中表示を解除させる。
【００４６】
図１のコードレス電話装置において親機１に無線送信回路を２つ以上備えるものとし、子機Ａ（２０ａ）と子機Ｃ（２０ｃ）の子機間通話を行ったときの制御チャンネル及び通話チャンネルで遣り取りされる信号を説明する。この子機間通話の場合、使用中以外の子機Ｂ（２０ｂ）に使用中表示をさせる方法として、制御チャンネルを使用して「応答ＩＤがない子機は使用中表示」の信号８７を送信することで使用中の表示を行わせる。このとき、制御チャンネルを用いて使用中表示をさせるので子機Ｂ（２０ｂ）は通話チャンネルには移行しない。そして、制御チャンネルである使用中表示解除信号９５によって、子機Ｂ（２０ｂ）の使用中表示は解除される。このため、図２の外線着信と同様の効果が得られる。なお、使用中表示解除手段として図３の構成を用いて使用中表示解除も可能である。この場合、使用中表示手段では、コードレス電話子機間通話時に使用中以外のコードレス電話子機に対し制御チャンネルのみを用い使用中表示を行わせ、使用中表示解除手段では、コードレス電話子機間通話終了後に通話チャンネルを確立し、該通話チャンネルを用い使用中表示を解除させる。
【００４７】
例えば、子機Ａ（２０ａ）から子機Ｃ（２０ｃ）へ子機間通話を行うとき、まず、子機Ａ（２０ａ）の無線送信回路２２ａから親機１へ制御チャンネルで発呼ＩＤ信号８１を送信する。発呼ＩＤ信号８１を検出した親機１は応答ＩＤ信号８２を子機Ａ（２０ａ）に送信する。応答ＩＤ信号８２を受けた子機Ａ（２０ａ）は、通話先である内線Ｃ（子機Ｃに対応する内線）の信号８３を親機１に対して送信し、親機１も内線Ｃ信号８４を子機Ａ（２０ａ）に返信する。親機１は、さらに、子機Ｃ（２０ｃ）に対し、発呼ＩＤ信号８５を送信する。発呼ＩＤ信号８５を検出した子機Ｃ（２０ｃ）は応答ＩＤ信号８６を親機１に返信する。応答ＩＤ信号８６を受けた親機１は、「発呼ＩＤがない子機は使用中表示」の信号８７を各子機に送信する。子機Ｂ（２０ｂ）がその条件に該当し、子機Ｂ（２０ｂ）の表示器２５ｂには外線使用中の表示がされる。次に、親機１はチャンネル切替信号８８を子機Ａ（２０ａ），Ｃ（２０ｃ）へ送信する。このチャンネル切替信号８８により、子機Ａ（２０ａ），Ｃ（２０ｃ）と親機１は制御チャンネルから通話チャンネルに移行する。
【００４８】
この後、親機１から内線呼出信号８８が親機１から子機Ｃ（２０ｃ）へ送信され、子機Ｃ（２０ｃ）側ではユーザが通話ｋｅｙを押すことにで通話ｋｅｙ信号９０が親機１へ送信され、内線通話信号９１が親機１から子機Ａ（２０ａ），Ｃ（２０ｃ）へ送信され、内線通話中の状態となる。
【００４９】
次に、内線通話中にユーザ（ここでは子機Ａのユーザとして例示）が切ｋｅｙを押すことにより、切ｋｅｙ信号９２が親機１へ送信され、親機１からそのＡＣＫ信号９３が子機Ａ（２０ａ）へ返信されてくる。その後、親機１より子機Ａ（２０ａ），Ｃ（２０ｃ）へ無線断信号９４が送信され、子機Ａ（２０ａ）の外線通話は解除され、子機Ａ（２０ａ），Ｃ（２０ｃ）は通話チャンネルから制御チャンネルとなり子機Ｂ（２０ｂ）と同様に待機状態になる。
【００５０】
次に、親機１より制御チャンネルを通して、子機Ａ（２０ａ），子機Ｂ（２０ｂ），子機Ｃ（２０ｃ）へ使用中表示解除信号９５が送信され、子機Ｂ（２０ｂ）の表示器２５ｂから使用中の表示が消える。
【００５１】
【発明の効果】
本発明によれば、外線又は内線を使用中であるコードレス電話子機以外のコードレス電話子機で使用中表示を行う際に、制御チャンネルにて待ち受け状態としておくことで、外線及び子機間通話時に通話中以外のコードレス電話子機において間欠受信やミュート等の制御を行う必要もなく、子機の消費電力の低減や、使用中以外の子機への簡易な外線通話の移行をも行うことも可能である。
【図面の簡単な説明】
【図１】本発明の一実施形態に係るコードレス電話装置の一構成例を示すブロック図である。
【図２】図１のコードレス電話装置における外線着信時の制御シーケンスの一例を示す図である。
【図３】図１のコードレス電話装置における外線着信時或いは内線使用時の使用中表示解除シーケンスの他の例を示す図である。
【図４】図１のコードレス電話装置における外線発信時の制御シーケンスの一例を示す図である。
【図５】図１のコードレス電話装置における外線発信時の制御シーケンスの他の例を示す図である。
【図６】図１のコードレス電話装置における子機間通話時の制御シーケンスの一例を示す図である。
【符号の説明】
１…親機、１０…電話回線、１１，２４ａ…制御回路、１２，２２ａ…無線送信回路、１３，２３ａ…無線受信回路、１４，２１ａ…アンテナ、２０ａ…子機Ａ、２０ｂ…子機Ｂ、２０ｃ…子機Ｃ、２５ａ…表示器、２６ａ…スピーカ。
【図１】
2004228875.tif 000003
【図２】
2004228875.tif 000004
【図３】
2004228875.tif 000005
【図４】
2004228875.tif 000006
【図５】
2004228875.tif 000007
【図６】
2004228875.tif 000008